(57)【要約】【課題】日時に応じて外部から入力されるコンテンツデータの喪失を防ぎ、ユーザの使い勝手を向上させること。【解決手段】  ＵＳＢメモリ２が接続されるＵＳＢコントローラ２２と、コンテンツデータが入力される入力部４１と、入力部４１により入力されたコンテンツデータを記録する内蔵メモリ２１と、内蔵メモリ２１の動作を時間制御し、入力部４１により入力されたコンテンツデータをＵＳＢコントローラ２２に接続されたＵＳＢメモリ２に記録する際にＵＳＢメモリ２をＵＳＢコントローラ２２が認識できない場合、コンテンツデータを内蔵メモリ２２に記録させ、ＵＳＢメモリ２への記録後、ＵＳＢコントローラ２２がＵＳＢメモリ２を認識した際に、内蔵メモリ２２に記録されているコンテンツデータをＵＳＢメモリ２に記録させる制御部１０と、を備える記録装置１。【選択図】図１
2008233804.tif 000002
【特許請求の範囲】
【請求項１】
接続式の外部記録媒体が接続される接続手段と、
コンテンツデータが入力される入力手段と、
前記入力手段により入力されたコンテンツデータを記録する記録手段と、
前記記録手段の動作を時間制御するタイマ手段と、
前記タイマ手段を用いて前記入力手段により入力されたコンテンツデータを前記接続手段に接続された外部記録媒体に記録する際に前記外部記録媒体を前記接続手段が認識できない場合、前記コンテンツデータを前記記録手段に記録させ、前記記録手段への記録後、前記接続手段が外部記録媒体を認識した際に、前記記録手段に記録されている前記コンテンツデータを前記外部記録媒体に記録させる制御手段と、
を備えること、
を特徴とする記録装置。
【請求項２】
前記制御手段は、
前記タイマ手段を用いた記録の際に前記接続手段が前記外部記録媒体を認識できた場合、前記外部記録媒体に前記コンテンツデータを記録後、前記記録手段における前記タイマ手段を用いたコンテンツデータの有無を確認し、当該コンテンツデータを前記外部記録媒体に記録させること、
を特徴とする請求項１に記載の記録装置。
【請求項３】
前記記録手段に前記コンテンツデータが記録されている旨を報知する報知手段を備えること、
を特徴とする請求項１又は２に記載の記録装置。
【請求項４】
コンテンツデータが入力される入力手段により入力されたコンテンツデータを記録する記録手段の動作を時間制御するタイマ手段を用いて、前記入力手段により入力されたコンテンツデータを接続式の外部記録媒体が接続される接続手段に接続された外部記録媒体に記録する際、前記外部記録媒体を前記接続手段が認識できない場合、前記コンテンツデータを前記記録手段に記録させ、前記記録手段への記録後、前記接続手段が外部記録媒体を認識した際に、前記記録手段に記録されている前記コンテンツデータを前記外部記録媒体に記録させる制御工程を含むこと、
を特徴とする記録方法。
【請求項５】
コンピュータを、
接続式の外部記録媒体が接続される接続手段、
コンテンツデータが入力される入力手段、
前記入力手段により入力されたコンテンツデータを記録する記録手段、
前記記録手段の動作を時間制御するタイマ手段、
前記タイマ手段を用いて前記入力手段により入力されたコンテンツデータを前記接続手段に接続された外部記録媒体に記録する際に前記外部記録媒体を前記接続手段が認識できない場合、前記コンテンツデータを前記記録手段に記録させ、前記記録手段への記録後、前記接続手段が外部記録媒体を認識した際に、前記記録手段に記録されている前記コンテンツデータを前記外部記録媒体に記録させる制御手段、
として機能させるためのプログラム。
【発明の詳細な説明】
【技術分野】
【０００１】
本発明は、記録装置、記録方法及びプログラムに関する。
【背景技術】
【０００２】
近年、タイマ機能を有したオーディオ機器が開発されている。タイマ機能を用いることにより、予め設定した時間にチューナ等を動作させて外部から入力されるラジオ放送やテレビ放送の受信を行ない、受信したラジオ放送やテレビ放送の音データや画像データ等のコンテンツデータを記録媒体に記録することが可能である。
【０００３】
例えば、記録再生装置とコンピュータとが接続され、接続されたコンピュータに記録再生動作を開始する時刻及び終了させる時刻の入力、開始時刻に開始される記録再生動作の種別の入力し、入力された信号に応じて記録再生装置が記録再生動作を実行する技術が開示されている（特許文献１参照）。
【特許文献１】特開２００２−２０８２６５号公報
【発明の開示】
【発明が解決しようとする課題】
【０００４】
しかしながら、コンテンツデータを記録する記録媒体が多様化する中、上述したような従来のタイマ機能を有したオーディオ装置等の記録装置では、受信したコンテンツデータを記録する記録媒体が記録装置とは別媒体である場合もある。例えば、ＳＤ（Secure Digital）カード等のメモリカードや、ＵＳＢ（Universal Serial Bus）メモリ等のフラッシュメモリに代表されるような不揮発性且つ接続式の外部記録媒体と記録装置とが接続され、当該外部記録媒体に受信されたコンテンツデータが記録される場合がある。
【０００５】
このような場合、外部記録媒体と記録装置との接続が行われていなかったり、接続されていなかったりした際には、受信されたコンテンツデータは何処にも記録されずにタイマ処理が終了してしまう。このため、例えば、設定した日時の間のみしか放送されないコンテンツデータを記録することができず、ユーザにとって使い勝手が悪いという問題がある。
【０００６】
本発明の課題は、日時に応じて外部から入力されるコンテンツデータの喪失を防ぎ、ユーザの使い勝手を向上させることである。
【課題を解決するための手段】
【０００７】
請求項１に記載の発明は、接続式の外部記録媒体が接続される接続手段と、コンテンツデータが入力される入力手段と、前記入力手段により入力されたコンテンツデータを記録する記録手段と、前記記録手段の動作を時間制御するタイマ手段と、前記タイマ手段を用いて前記入力手段により入力されたコンテンツデータを前記接続手段に接続された外部記録媒体に記録する際に前記外部記録媒体を前記接続手段が認識できない場合、前記コンテンツデータを前記記録手段に記録させ、前記記録手段への記録後、前記接続手段が外部記録媒体を認識した際に、前記記録手段に記録されている前記コンテンツデータを前記外部記録媒体に記録させる制御手段と、を備える記録装置であること、を特徴としている。
【０００８】
請求項２に記載の発明は、請求項１に記載の記録装置において、前記制御手段は、前記タイマ手段を用いた記録の際に前記接続手段が前記外部記録媒体を認識できた場合、前記外部記録媒体に前記コンテンツデータを記録後、前記記録手段における前記タイマ手段を用いたコンテンツデータの有無を確認し、当該コンテンツデータを前記外部記録媒体に記録させること、を特徴としている。
【０００９】
請求項３に記載の発明は、請求項１又は２に記載の記録装置において、前記記録手段に前記コンテンツデータが記録されている旨を報知する報知手段を備えること、を特徴としている。
【００１０】
請求項４に記載の発明は、コンテンツデータが入力される入力手段により入力されたコンテンツデータを記録する記録手段の動作を時間制御するタイマ手段を用いて、前記入力手段により入力されたコンテンツデータを接続式の外部記録媒体が接続される接続手段に接続された外部記録媒体に記録する際、前記外部記録媒体を前記接続手段が認識できない場合、前記コンテンツデータを前記記録手段に記録させ、前記記録手段への記録後、前記接続手段が外部記録媒体を認識した際に、前記記録手段に記録されている前記コンテンツデータを前記外部記録媒体に記録させる制御工程を含む記録方法であること、を特徴としている。
【００１１】
請求項５に記載の発明は、コンピュータを、接続式の外部記録媒体が接続される接続手段、コンテンツデータが入力される入力手段、前記入力手段により入力されたコンテンツデータを記録する記録手段、前記記録手段の動作を時間制御するタイマ手段、前記タイマ手段を用いて前記入力手段により入力されたコンテンツデータを前記接続手段に接続された外部記録媒体に記録する際に前記外部記録媒体を前記接続手段が認識できない場合、前記コンテンツデータを前記記録手段に記録させ、前記記録手段への記録後、前記接続手段が外部記録媒体を認識した際に、前記記録手段に記録されている前記コンテンツデータを前記外部記録媒体に記録させる制御手段、として機能させるためのプログラムであること、を特徴としている。
【発明の効果】
【００１２】
本発明によれば、日時に応じて外部から入力されるコンテンツデータの喪失を防ぎ、ユーザの使い勝手を向上させることができる。
【発明を実施するための最良の形態】
【００１３】
以下、図を参照して本発明の実施の形態を詳細に説明する。
まず、構成を説明する。
図１に、本実施の形態における記録装置１の概略構成図を示す。
【００１４】
図１に示すように、記録装置１は、タイマ手段及び制御手段としての制御部１０、ＤＳＰ（Digital Signal Processor）２０、表示部３１、操作部３２、入力手段としての入力部４１、セレクタ４２、ＡＤＣ（Analog Digital Converter）４３、ＤＡＣ（Digital Analog Converter）４４、アンプ部４５、出力部４６などを備えて構成されている。
【００１５】
制御部１０は、ＣＰＵ（Central Processing Unit）、ＲＯＭ（Read Only Memory）、ＲＡＭ（Random Access Memory）等から構成されており、ＲＯＭ等に記憶されている各種制御プログラムをＲＡＭに展開して、これら制御プログラムとの協働により演算を行い、記録装置１内の各部を統括的に制御する。また、制御部１０は、独立した電源供給を受けて現在日時を計時してメイン電源をオン／オフさせ入力部４１により入力されたコンテンツデータを記録する内蔵メモリ２１の動作を時間制御するプログラムタイマ機能を有していると共に、本実施の形態における後述するタイマ記録処理やデータ転送処理をＤＳＰ２０と協働して行なう。
【００１６】
本実施の形態における制御部１０が行なうタイマ記録処理は、操作部３２により入力部４１を介して入力されるコンテンツデータの記録を開始する開始日時、終了させる終了日時、コンテンツデータの種類等のタイマ記録設定情報が予め設定されている場合において、プログラムタイマ機能を用いて入力部４１により入力されたコンテンツデータを後述するＵＳＢコントローラ２２に接続されたＵＳＢメモリ２に記録する際にＵＳＢメモリ２をＵＳＢコントローラ２２が認識できない場合、コンテンツデータを内蔵メモリ２１に記録させ、内蔵メモリ２１内にコンテンツデータが記録されている旨を表示部３１に表示させる処理である。
【００１７】
また、本実施の形態における制御部１０が行なうデータ転送処理は、内蔵メモリ２１へのコンテンツデータの記録後、ＵＳＢコントローラ２２がＵＳＢメモリ２を認識した際に、内蔵メモリ２１に記録されているコンテンツデータをＵＳＢメモリ２に転送して記録させる処理である。
【００１８】
ＤＳＰ２０は、制御部１０、内蔵メモリ２１、ＵＳＢコントローラ２２、ＡＤＣ４３、ＤＡＣ４４と接続されており、制御部１０から送信される信号に応じてＡＤＣ４３から入力されるコンテンツデータをＤＡＣ４４に出力する。また、ＤＳＰ２０は、後述するタイマ記録処理やデータ転送処理を制御部１０と協働して行う。
【００１９】
内蔵メモリ２１は、記録装置１内に設けられたＨＤＤ（Hard Disc）や半導体の不揮発性メモリにより構成されており、入力部４１からセレクタ４２及びＡＤＣ４３を介して入力されるコンテンツデータを記録する記録手段である。
【００２０】
ＵＳＢコントローラ２２は、ＵＳＢメモリ２が接続される接続手段であり、ＵＳＢ端子（ＵＳＢポート）を有する。ＤＳＰ２０は、ＵＳＢコントローラ２２との協働により、ＵＳＢ端子にＵＳＢメモリ２が接続された場合、ＵＳＢメモリ２が外された場合等のＵＳＢメモリ２の認識信号を制御部１０に送信する、また、ＤＳＰ２０は、ＵＳＢコントローラ２２との協働により、ＵＳＢ端子に接続されたＵＳＢメモリ２に対してＵＳＢ規格に従って、ＵＳＢメモリ２に記録されているコンテンツデータの有無や空き容量の判断を行い、当該判断結果を制御部１０に送信すると共に、制御部１０からの指示に従ってコンテンツデータの読み出し又はコンテンツデータの書き込み等を行なう。
【００２１】
ＵＳＢメモリ２は、ＵＳＢコントローラ２２に着脱可能な接続式の外部記録媒体であり、不揮発性半導体記憶メモリと、ＵＳＢ転送部等とを有する。ＵＳＢメモリ２は、ＵＳＢコントローラ２２から給電された電力により動作し、ＵＳＢ転送部によりＵＳＢコントローラ２２との間でＵＳＢ規格に従ったデータ転送を行い、不揮発性半導体記憶メモリにコンテンツデータの読み込み又は記録がなされる。
なお、本実施の形態においては、接続式の外部記録媒体としてＵＳＢメモリを挙げて説明するが、これに限らない。
【００２２】
表示部３１は、ＬＣＤ（Liquid Crystal Display）やＬＥＤ（Light Emitting Diode）等によって構成され、制御部１０から送信される表示データに基づいて各種情報を表示する。本実施の形態において、表示部３１は、表示データに基づいて点灯するインジケータを有し、当該インジケータの点灯の有無によって、内蔵メモリ２１内にコンテンツデータが記録されているか否かを報知する報知手段としての機能を実現する。
【００２３】
操作部３２は、電源スイッチ、数字や文字等の入力キーや、各種メニューを選択する選択キー等の各種キーを有するタッチパネル等により構成されており、記録するコンテンツデータの種類や開始日時、終了日時の設定指示を受け付けるキーを有している。押下されたキーに対応する押下信号や、当接されたタッチパネルの位置に対応する位置信号等の操作信号は、制御部１０に送信される。
【００２４】
入力部４１は、ラジオ放送やテレビ放送等の日時に応じて外部から送信されるコンテンツデータを受信するアンテナ部と、ラジオ放送やテレビ放送を選局するチューナ部とを有しており、受信したコンテンツデータをセレクタ４２に送信する。
【００２５】
本実施の形態において、入力部４１により受信され入力されるコンテンツデータは、ラジオ放送を受信した場合には音データ、テレビ放送を受信した場合には音及び画像データを含むものとし、また、これらのデータに関連する番組データや楽曲データ等を含むものであってもよい。
【００２６】
セレクタ４２は、制御部１０からの制御信号に基づき、入力部４１が受信し入力されるコンテンツデータに対して切り替えを行い、切り替えられたコンテンツデータをＡＤＣ４３に送信する。
【００２７】
ＡＤＣ４３は、セレクタ４２から入力されたコンテンツデータをデジタルデータに変換してＤＳＰ２０に送信する。これは、ＤＳＰ２０がデジタル信号しか処理できないためである。
【００２８】
ＤＡＣ４４は、ＤＳＰ２０から受信したデジタルデータをアナログデータに変換してアンプ部４５に送信する。アンプ部４５は、ＤＡＣ４４から受信したアナログデータを増幅させ、スピーカ等の出力部４６に送信する。そして出力部４６は、アナログデータに基づき音や画像を出力する。
【００２９】
次に、本実施の形態の動作を説明する。
図２、３に、本実施の形態におけるタイマ記録処理のフローチャートを示す。
【００３０】
まず、現在の日時がタイマ記録を開始する開始日時であるか否かが判別され（ステップＳ１）、開始日時でない場合（ステップＳ１；Ｎｏ）、ステップＳ１に戻る。
【００３１】
現在の日時がタイマ記録を行なう開始日時である場合（ステップＳ１；Ｙｅｓ）、メイン電源がオンされ（ステップＳ２）、記録装置１の各部に電源が供給され、セレクタ４２が切り替えられる（ステップＳ３）。
【００３２】
そして、ＵＳＢメモリ２がＵＳＢコントローラ２２のＵＳＢ端子に接続されているか否かが判別され（ステップＳ４）、ＵＳＢメモリ２が接続されている場合（ステップＳ４；Ｙｅｓ）、ＵＳＢメモリ２は記録可能な外部記録媒体であるか否か、即ち、コンテンツデータを書き込み可能な外部記録媒体であるか否かが判別される（ステップＳ５）。
【００３３】
ＵＳＢメモリ２が記録可能な外部記録媒体である場合（ステップＳ５；Ｙｅｓ）、ＵＳＢメモリ２に所定の容量のコンテンツデータが記録され（ステップＳ６）、ＵＳＢメモリ２には更にコンテンツデータを記録する空き容量があるか否かが判別される（ステップＳ７）。
【００３４】
ＵＳＢメモリ２に空き容量がある場合（ステップＳ７；Ｙｅｓ）、現在の日時がタイマ記録を終了する終了日時であるか否かが判別され（ステップＳ８）、終了日時でない場合（ステップＳ８；Ｎｏ）、ステップＳ６に戻る。
【００３５】
現在の日時がタイマ記録を終了する終了日時である場合（ステップＳ８；Ｙｅｓ）、コンテンツデータの記録が停止される（ステップＳ９）。
【００３６】
ＵＳＢメモリ２には空き容量がない場合（ステップＳ７；Ｎｏ）、コンテンツデータの記録が停止され（ステップＳ１０）、現在の日時がタイマ記録を終了する終了日時であるか否かが判別され（ステップＳ１１）、終了日時でない場合（ステップＳ１１；Ｎｏ）、ステップＳ１１に戻る。
【００３７】
ステップＳ９後、又は、現在の日時がタイマ記録を終了する終了日時である場合（ステップＳ１１；Ｙｅｓ）、メイン電源がオフされ（ステップＳ１２）、本処理は終了される。
【００３８】
一方、ＵＳＢメモリ２が接続されてない場合（ステップＳ４；Ｎｏ）、又は、ＵＳＢメモリ２は記録可能な外部記録媒体でない場合（ステップＳ５；Ｎｏ）、内蔵メモリ２１はコンテンツデータを記録可能であるか否か、即ち、内蔵メモリ２１にはコンテンツデータを記録する空き容量があるか否かが判別される（ステップＳ１３）。
【００３９】
内蔵メモリ２１はコンテンツデータを記録可能である場合（ステップＳ１３；Ｙｅｓ）、内蔵メモリ２１に所定の容量のコンテンツデータが記録され（ステップＳ１４）、内蔵メモリ２１には更にコンテンツデータを記録する空き容量があるか否かが判別される（ステップＳ１５）。
【００４０】
内蔵メモリ２１に空き容量がある場合（ステップＳ１５；Ｙｅｓ）、現在の日時がタイマ記録を終了する終了日時であるか否かが判別され（ステップＳ１６）、終了日時でない場合（ステップＳ１６；Ｎｏ）、ステップＳ１４に戻る。
【００４１】
現在の日時がタイマ記録を終了する終了日時である場合（ステップＳ１６；Ｙｅｓ）、コンテンツデータの記録が停止され（ステップＳ１７）、ステップＳ１２に移行する。
【００４２】
内蔵メモリ２１に空き容量がない場合（ステップＳ１５；Ｎｏ）、コンテンツデータの記録が停止され（ステップＳ１８）、現在の日時がタイマ記録を終了する終了日時であるか否かが判別され（ステップＳ１９）、終了日時でない場合（ステップＳ１９；Ｎｏ）、ステップＳ１９に戻る。
【００４３】
現在の日時がタイマ記録を終了する終了日時である場合（ステップＳ１９；Ｙｅｓ）、ステップＳ１２に移行する。
【００４４】
なお、内蔵メモリ２１に空き容量がない場合（ステップＳ１３；ＮＯ、又はステップＳ１５；Ｎｏ）、内蔵メモリ２１内の全部又は一部を消去して、コンテンツデータを記録する容量を確保してもよい。内蔵メモリ２１内のコンテンツデータを消去する際には、日付の古いコンテンツデータを優先して消去することが好ましい。
【００４５】
図４に、本実施の形態におけるデータ転送処理のフローチャートを示す。
操作部３２により電源スイッチが押下されメイン電源がオンされると（ステップＳ２１）、内蔵メモリ２１内に上述したタイマ記録処理によって記録されたコンテンツデータ（以下、タイマ記録データという。）が有るか否かが判別され（ステップＳ２２）、タイマ記録データが無い場合（ステップＳ２２；Ｎｏ）、本処理は終了される。
【００４６】
内蔵メモリ２１内にタイマ記録データが有る場合（ステップＳ２２；Ｙｅｓ）、表示部３１のインジケータが点灯され（ステップＳ２３）、内蔵メモリ２１内にタイマ記録データがある旨が報知される。
【００４７】
そして、ＵＳＢメモリ２がＵＳＢコントローラ２２のＵＳＢ端子に接続されているか否かが判別され（ステップＳ２４）、ＵＳＢメモリ２が接続されている場合（ステップＳ２４；Ｙｅｓ）、ＵＳＢメモリ２は記録可能な外部記録媒体であるか否か、即ち、コンテンツデータを書き込み可能な外部記録媒体であるか否かが判別される（ステップＳ２５）。
【００４８】
ＵＳＢメモリ２が接続されてない場合（ステップＳ２４；Ｎｏ）、又は、ＵＳＢメモリ２は記録可能な外部記録媒体でない場合（ステップＳ２５；Ｎｏ）、ステップＳ２４に戻る。
【００４９】
ＵＳＢメモリ２が記録可能な外部記録媒体である場合（ステップＳ２５；Ｙｅｓ）、内蔵メモリ２１からＵＳＢメモリ２へ所定の容量のタイマ記録データが転送されてＵＳＢメモリ２内に記録され（ステップＳ２６）、ＵＳＢメモリ２には更にタイマ記録データを記録する空き容量があるか否かが判別される（ステップＳ２７）。
【００５０】
ＵＳＢメモリ２に空き容量がある場合（ステップＳ２７；Ｙｅｓ）、内蔵メモリ２１内の全てのタイマ記録データがＵＳＢメモリ２に転送完了されたか否かが判別され（ステップＳ２８）、転送完了されていない場合（ステップＳ２８；Ｎｏ）、ステップＳ２６に戻る。
【００５１】
ＵＳＢメモリ２にはタイマ記録データを記録する空き容量がない場合（ステップＳ２７；Ｎｏ）、又は、内蔵メモリ２１内の全てのタイマ記録データがＵＳＢメモリ２に転送完了された場合（ステップＳ２８；Ｙｅｓ）、タイマ記録データの転送が停止される（ステップＳ２９）。
【００５２】
そして、内蔵メモリ２１内の全てのタイマ記録データがＵＳＢメモリ２に転送完了されたか否かが判別され（ステップＳ３０）、転送完了されていない場合（ステップＳ３０；Ｎｏ）、インジケータが点灯されたまま本処理が終了される。
【００５３】
内蔵メモリ２１内の全てのタイマ記録データがＵＳＢメモリ２に転送完了された場合（ステップＳ３０；Ｙｅｓ）、インジケータが消灯され（ステップＳ３１）、内蔵メモリ２１内にタイマ記録データがない旨が報知され、本処理が終了される。
【００５４】
以上のように、本実施形態によれば、日時に応じて外部から入力されるコンテンツデータをＵＳＢメモリ２に記録する場合において、ユーザがＵＳＢメモリ２を接続し忘れたりして、ＵＳＢメモリ２が接続されていなくても、コンテンツデータを内蔵メモリ２１に記録して確保することができるため、コンテンツデータの損失を防ぐことができ、ユーザの使い勝手を向上させることができる。
【００５５】
また、ＵＳＢメモリ２が接続されると、内蔵メモリ２１に記録されていたコンテンツデータ（タイマ記録データ）を当該ＵＳＢメモリ２に転送して記録させることができ、内蔵メモリ２１に記録されていたタイマ記録データの転送等の作業が不要となり、使い勝手を向上させることができる。
【００５６】
また、インジケータの点灯又は消灯により、コンテンツデータが記録されている旨を報知することができるため、ユーザはコンテンツデータが記録されていることを認識することができる。
【００５７】
（変形例）
以下、上記実施の形態のタイマ記録処理の変形例を説明する。
本変形例では、上述実施の形態の記録装置１を用いる。このため、記録装置１の概略構成図は省略し、上述実施の形態と異なる構成部分を主として説明する。
【００５８】
本実施の形態における制御部１０が行なうタイマ記録処理は、操作部３２により入力部４１を介して入力されるコンテンツデータの記録を開始する開始日時、終了させる終了日時、コンテンツデータの種類等のタイマ記録設定情報が予め設定されている場合において、ＵＳＢメモリ２がＵＳＢコントローラ２２に接続されていない場合には、設定された開始日時から終了日時までの間に入力されたコンテンツデータを内蔵メモリ２１に記録させ、ＵＳＢメモリ２がＵＳＢコントローラ２２に接続されている場合には、開始日時から終了日時までの間に入力されたコンテンツデータをＵＳＢメモリ２に記録させた後、内蔵メモリ２１に記録されているタイマ記録データをＵＳＢメモリ２に記録させる処理である。
【００５９】
次に、本変形例の動作を説明する。
図５、３、６に、本変形例におけるタイマ記録処理のフローチャートを示す。
図５に示すステップＳ５１〜６１は、図２に示すステップＳ１〜１１と同様であるため、説明は省略する。また、ステップＳ５４；Ｎｏ又はステップ５５；Ｎｏの場合に移行する処理は、図３に示すステップＳ１３〜１７であり、ステップＳ１７後はステップＳ６６に移行する以外が図３に示すステップＳ１３〜１７と同様であるため、図示及び説明は省略する。
【００６０】
ステップＳ５９後、即ち、接続されたＵＳＢメモリ２にコンテンツデータが記録された後、内蔵メモリ２１内に以前のタイマ記録処理によって記録されたタイマ記録データ（未転送済みのタイマ記録データ）が有るか否かが判別され（ステップＳ６２）、タイマ記録データが無い場合（ステップＳ６２；Ｎｏ）、ステップＳ６６に移行される。
【００６１】
内蔵メモリ２１内にタイマ記録データが有る場合（ステップＳ６２；Ｙｅｓ）、ステップＳ６３に移行される。ステップＳ６３〜６６は、図４に示すステップＳ２６〜２９と同様であるため、説明は省略する。
【００６２】
ステップＳ１７後、ステップＳ６１；Ｙｅｓ後、又はステップＳ６２；Ｎｏ後、メイン電源がオフされ（ステップＳ６７）、本処理は終了される。
【００６３】
以上のように、本変形例によれば、日時に応じて外部から入力されるコンテンツデータをＵＳＢメモリ２に記録する場合において、ユーザがＵＳＢメモリ２を接続し忘れたりして、ＵＳＢメモリ２が接続されていなくても、コンテンツデータを内蔵メモリ２１に記録して確保することができるため、コンテンツデータの損失を防ぐことができ、ユーザの使い勝手を向上させることができると共に、ＵＳＢメモリ２へのタイマ記録終了後に、内蔵メモリ２１に記録されていたコンテンツデータを当該ＵＳＢメモリ２に記録させることができ、内蔵メモリ２１に記録されていたコンテンツデータの転送等の作業が不要となり、使い勝手を向上させることができる。
【００６４】
なお、本発明は、上記実施形態に限らず、適宜変更可能であるのは勿論である。
【図面の簡単な説明】
【００６５】
【図１】本実施の形態における記録装置の概略構成図である。
【図２】本実施の形態におけるタイマ記録処理のフローチャートを示す図である。
【図３】本実施の形態におけるタイマ記録処理のフローチャートを示す図である（図２の続き）。
【図４】本実施の形態におけるデータ転送処理のフローチャートを示す図である。
【図５】本実施の形態の変形例におけるタイマ記録処理のフローチャートを示す図である。
【図６】本実施の形態の変形例におけるタイマ記録処理のフローチャートを示す図である（図５の続き）。
【符号の説明】
【００６６】
１  記録装置
２  ＵＳＢメモリ
１０  制御部
２０  ＤＳＰ
２１  内蔵メモリ
２２  ＵＳＢコントローラ
３１  表示部
３２  操作部
４１  入力部
４２  セレクタ
４３  ＡＤＣ
４４  ＤＡＣ
４５  アンプ部
４６  出力部
【図１】
2008233804.tif 000003
【図２】
2008233804.tif 000004
【図３】
2008233804.tif 000005
【図４】
2008233804.tif 000006
【図５】
2008233804.tif 000007
【図６】
2008233804.tif 000008